(57)【要約】      （修正有）【課題】被検者及び撮影者の位置関係の制約がなく、手術での長尺撮影に適した移動形のＸ線撮影装置を提供する。【解決手段】Ｘ線管４と、Ｘ線検出器３と、被検体１００を挟んだ状態で延在しているアーム部２と、アーム保持装置１とを有し、Ｘ線管４及びＸ線検出器３が配置されているＸ線撮影装置５００において、第３回転機構６は、アーム部２の他端で、Ｘ線検出器３を、第１方向（垂直方向、Ｚ方向）に沿って延びる第１軸（垂直軸Ｖａ）、第２方向である被検体１００の体軸方向（Ｙ方向）に沿って延びる第２軸（第１水平軸Ｌａ１）、並びに第１方向及び第２方向の両方向に直交する第３方向である被検体１００の幅方向（Ｘ方向）に沿って延びる第３軸（第２水平軸Ｌａ２）の各軸周りに回転させる機構を含み、第３移動機構７は、アーム部２の他端で、Ｘ線検出器３を、第２方向及び第３方向に平行移動させる機構を含むことを特徴とするＸ線撮影装置５００。【選択図】図１
2011245003.tif 000002
【特許請求の範囲】
【請求項１】
Ｘ線を照射するＸ線照射手段と、前記Ｘ線照射手段から照射されたＸ線を検出するＸ線検出手段と、被検体を挟んだ状態で一端と他端が対向配置されるように延在しているアーム部と、前記アーム部の延在方向中央付近を背後から支持するアーム保持装置とを有し、前記アーム部の一端及び他端に、それぞれＸ線の照射面及び検出面が対向するように前記Ｘ線照射手段及び前記Ｘ線検出手段が配置されているＸ線撮影装置において、
前記Ｘ線検出手段は、前記アーム部の他端に、移動機構及び回転機構を介して配置されており、
前記回転機構は、前記アーム部の他端で、前記Ｘ線検出手段を、前記アーム保持装置の立設方向である第１方向に沿って延びる第１軸、第１方向に交差する第２方向である前記被検体の体軸方向に沿って延びる第２軸、並びに第１方向及び第２方向の両方向に交差する第３方向である前記被検体の幅方向に沿って延びる第３軸の各軸周りに回転させる機構を含み、
前記移動機構は、前記アーム部の他端で、前記Ｘ線検出手段を、前記第２方向及び前記第３方向に平行移動させる機構を含むことを特徴とするＸ線撮影装置。
【請求項２】
請求項１記載のＸ線撮影装置において、
前記アーム保持装置は、前記アーム部の延在方向中央付近の背後に、第２の移動機構及び回転機構を介して配置されており、
前記第２の回転機構は、前記アーム部の延在方向中央付近の背後で、前記アーム部を、前記第１軸、前記第２軸及び前記第３軸の各軸周りに回動させる機構を含み、
前記第２の移動機構は、前記アーム部の延在方向中央付近の背後で、前記アーム部を前記第３方向に伸縮移動させる機構を含むことを特徴とするＸ線撮影装置。
【請求項３】
請求項１又は２記載のＸ線撮影装置において、
前記Ｘ線検出手段は、略長方形の検出面を有する平面型Ｘ線検出器であることを特徴とするＸ線撮影装置。
【発明の詳細な説明】
【技術分野】
【０００１】
本発明は、Ｘ線装置を手術室へ移動してＸ線透視撮影を行う移動形などに適したＸ線撮影装置に関する。
【背景技術】
【０００２】
部分的な重なりを持つ複数のＸ線画像を用いて接合画像である長尺画像を取得する長尺撮影に関する技術が知られている（特許文献１）。
【０００３】
Ｘ線装置を移動台車により手術室へ移動し、検査や手術支援のための透視や撮影を可能としたＸ線透視撮影システムの一例として、次に示す構造の移動形Ｘ線撮影装置が知られている（特許文献２）。そのＸ線撮影装置は、Ｃアームと呼ばれる半円形のアームを有し、Ｃアームの一端には、高電圧発生装置を一体化したモノタンク式のＸ線管装置が取り付けられ、さらにその下流側にＸ線絞り装置が取り付けられている。Ｃアームの他端には、Ｘ線受像装置（例えばＸ線検出器）が取り付けられている。Ｘ線管装置とＸ線受像装置は、Ｃアームを介して対向して設けられるとともに、重量のバランスがとられ、スムーズに自在な動きでＸ線管装置とＸ線受像装置とを被検体（患者）の撮影部位に対し位置合わせが行えるように構成されている。
【先行技術文献】
【特許文献】
【０００４】
【特許文献１】特開２００６−２２３５６１号公報
【特許文献２】国際公開２００１−１０３００号公報
【発明の概要】
【発明が解決しようとする課題】
【０００５】
しかしながら、特許文献２の移動形Ｘ線撮影装置を用いて特許文献１の長尺画像を取得する場合において、Ｘ線受像装置を、被検体の体軸方向（Ｙ方向）又は体軸方向に直交する幅方向（Ｘ方向）に沿って平行移動させる場合、Ｃアームとこれに取り付けられたＸ線管装置及びＸ線受像装置の全体（以下「Ｃアーム全体」と略記する。）を被検体の体軸方向（Ｙ方向）に沿って直線的に移動させなければならない。特許文献２の移動形Ｘ線撮影装置は、Ｃアーム全体を被検体の体軸方向（Ｙ方向）に沿って直線的に移動させる直線移動機構が設けられており、この機構はＣアーム全体を直線的に移動させるものであるため、大がかりな機構（動力源等を含む）を必要とし、装置全体が大型化するなどの欠点を有する。
【０００６】
また、特許文献２の移動形Ｘ線撮影装置は、Ｃアームの移動機構が被検体の体軸方向（Ｙ方向）に沿って直線的であるため、被検体の体軸方向（Ｙ方向）に沿った長尺画像を取得することを望む場合、被検体の体軸方向（Ｙ方向）に対するＣアームの挿入角度を略９０°にしなければならない。その結果、Ｃアームと患者、医師の位置関係に制約があり、長尺撮影には適さないシステムとなっている。
【０００７】
そこで本発明の一側面では、被検者及び撮影者の位置関係の制約がなく、手術での長尺撮影に適した移動形のＸ線撮影装置を提供する。
【課題を解決するための手段】
【０００８】
下記解決手段では、発明の実施形態を示す図面に対応する符号を付して説明するが、この符号は発明の理解を容易にするためだけのものであって発明を限定する趣旨ではない。
【０００９】
本発明によれば、Ｘ線を照射するＸ線照射手段（４）と、Ｘ線照射手段（４）から照射されたＸ線を検出するＸ線検出手段（３）と、被検体（１００）を挟んだ状態で一端と他端が対向配置されるように延在しているアーム部（２）と、アーム部（２）の延在方向中央付近を背後から支持するアーム保持装置（１）とを有し、アーム部（２）の一端及び他端に、それぞれＸ線の照射面及び検出面が対向するようにＸ線照射手段（４）及びＸ線検出手段（３）が配置されているＸ線撮影装置（５００）において、Ｘ線検出手段（３）は、アーム部（２）の他端に、移動機構（７）及び回転機構（６）を介して配置されており、回転機構（６）は、アーム部（２）の他端で、Ｘ線検出手段（３）を、アーム保持装置（１）の立設方向である第１方向（垂直方向、Ｚ方向）に沿って延びる第１軸（垂直軸Ｖａ）、第１方向に交差（例えば直交）する第２方向である被検体（１００）の体軸方向（Ｙ方向）に沿って延びる第２軸（第１水平軸Ｌａ１）、並びに第１方向及び第２方向の両方向に交差（例えば直交）する第３方向である被検体（１００）の幅方向（Ｘ方向）に沿って延びる第３軸（第２水平軸Ｌａ２）の各軸周りに回転させる機構を含み、移動機構（７）は、アーム部（２）の他端で、Ｘ線検出手段（３）を、第２方向及び第３方向に平行移動させる機構を含むことを特徴とするＸ線撮影装置（５００）が提供される。
【００１０】
本発明において、アーム保持装置（１）は、アーム部（２）の延在方向中央付近の背後に、第２の移動機構（１ａ，１ｂ）及び第２の回転機構（１ｃ、１ｄ）を介して配置されており、第２の回転機構（１ｃ、１ｄ）は、アーム部（２）の延在方向中央付近の背後で、アーム部（２）を、第１軸、第２軸及び第３軸の各軸周りに回動させる機構を含み、第２の移動機構（１ａ，１ｂ）は、アーム部（２）の延在方向中央付近の背後で、アーム部（２）を第３方向に伸縮移動させる機構を含むことができる。
【発明の効果】
【００１１】
本発明によれば、Ｃアーム全体を被検体の体軸方向（Ｙ方向）に沿って直線的に移動させることがない。このため、被検体の体軸方向に対するＣアームの挿入角度を略９０°にしなくとも、被検体の体軸方向（Ｙ方向）又は体軸方向に直交する幅方向（Ｘ方向）に沿った長尺撮影を行うことができ、被検体及び撮影者（オペレータ）の位置関係の制約をなくすことができる。
【図面の簡単な説明】
【００１２】
【図１】図１は本発明の一実施形態に係るＸ線撮影装置の全体構成を示すブロック図である。
【図２】図２（ａ）及び図２（ｂ）はＸ線検出器側に配置される第３移動機構と第３回転機構の一例を示す図である。
【図３】図３（ａ）及び図３（ｂ）はＸ線検出器側に配置される第３移動機構と第３回転機構の他の例を示す図である。
【図４】図４は図１のＸ線撮影装置に含まれる制御装置の全体構成を示すブロック図である。
【図５】図５は図１のＸ線撮影装置の使用例を示す平面図である。
【図６】図６は図４の制御装置による処理手順を示すフローチャートである。
【図７】図７は図６のＳ１の基準位置を説明する図である。
【図８】図８は図６のＳ３１，Ｓ３２の回転後の位置を説明する図である。
【図９】図９は図６のＳ３３のＸ線撮影の様子を説明する図である。
【図１０】図１０は図６のＳ４１，Ｓ４２の回転後の位置を説明する図である。
【図１１】図１１（ａ）は図６のＳ４２の回転後の位置ズレを説明する図であり、図１１（ｂ）は図６のＳ４３の位置ズレ解消を説明する図である。
【図１２】図１２は図６のＳ６の基準位置を説明する図である。
【図１３】図１３は図６のＳ７１，Ｓ７２の回転後の位置を説明する図である。
【図１４】図１４は図６のＳ８１，Ｓ８２の回転後の位置を説明する図である。
【図１５】図１５（ａ）は図６のＳ８２の回転後の位置ズレを説明する図であり、図１５（ｂ）は図６のＳ８３の位置ズレ解消を説明する図である。
【図１６】図１６は図１の画像処理部による処理手順を示すフローチャートである。
【図１７】図１７は長尺Ｘ線画像の元となる接合対象のＸ線画像の一例を示す図である。
【発明を実施するための形態】
【００１３】
以下、本発明の一実施形態を図面に基づいて説明する。なお、以下に説明するＸ方向、Ｙ方向及びＺ方向の一つは、残りの２つの方向の何れとも直交（交差の一例）するものとする。
【００１４】
《Ｘ線撮影装置》
図１に示すように、本実施形態に係るＸ線撮影装置５００は、例えばＸ線装置を手術室へ移動してＸ線透視撮影を行うことができるように、Ｘ線装置を移動台車へ搭載して成る移動形Ｘ線撮影装置であり、特に、例えば画像観察を行いながら被検体（患者）１００内へカテーテルを挿入して検査又は治療を行うなどの医療診断又は医療行為に好適に用いることができる移動形Ｘ線撮影装置である。
【００１５】
本実施形態に係るＸ線撮影装置５００は、アーム保持装置１を備えている。アーム保持装置１は、撮影室の上下方向に延びるように移動台車上に立設されている。本発明では、このアーム保持装置１の立設方向を「第１方向」とし、この第１方向に沿って延びる軸を「第１軸」とする。本実施形態では、本発明の第１方向を「垂直方向」又は「Ｚ方向」とし、第１軸を「垂直軸Ｖａ」とする。また、本発明では、第１方向に直交する方向を「第２方向」とし、この第２方向に沿って延びる軸を「第２軸」とするとともに、第１方向及び第２方向の両方向に直交する方向を「第３方向」とし、この第３方向に沿って延びる軸を「第３軸」としているが、本実施形態では、第２方向を臥位撮影台３００の上面に載置される「被検体１００の体軸方向」、「第２水平方向」又は「Ｙ方向」とし、第２軸を「第２水平軸Ｌａ２」とするとともに、第３方向を「被検体１００の幅方向」、「第１水平方向」又は「Ｘ方向」とし、第３軸を「第１水平軸Ｌａ１」とする。
【００１６】
アーム保持装置１の上端近傍には、移動機構１ａ，１ｂ及び回転機構１ｃ、１ｄを介してアーム部２が支持されている。アーム部２は、その延在方向中央付近が背後から、移動機構１ａ，１ｂ及び回転機構１ｃ、１ｄに接触して配置されている。アーム部２の延在方向の形状は特に限定されず、例えばＣ字状、Ｕ字状、Ω字状などが挙げられる。本実施形態では、アーム部２として延在方向の形状がＣ字状のものを例示し、以下これを単に「Ｃアーム」と称することもある。なお、アーム部２の延在方向に直交する方向の形状は方形状でもよいし、円形状とすることもできる。すなわちアーム部２は、角材で構成することもできるし、円柱材で構成することもできる。
【００１７】
以下では、アーム部２の延在方向をＺ方向に合わせたときに、その一端の面及び他端の面が、何れも、Ｘ方向及びＹ方向に沿って平行となるように形成されているものとする。
【００１８】
本実施形態のアーム部２は、第１移動機構１ａによって、アーム保持装置１の立設方向（Ｚ方向）に直交する第１水平方向（Ｘ方向。図中の矢印ａの方向に等しい）に沿って移動可能に保持されている。第１移動機構１ａの構成は特に限定されず、例えばＸ方向に延びる支柱と、これをＸ方向に沿って前後に移動させる移動手段などで構成される。その支柱の先端にアーム部２の延在方向中央付近を接続することで、アーム部２のＸ方向への伸縮移動を実現することができる。第１移動機構１ａは、制御装置２２からの指令により作動する。
【００１９】
本実施形態のアーム部２は、第２移動機構１ｂによって、その延在方向（矢印ｂの方向）に沿って摺動（円弧動）が可能に保持されている。この円弧動は、後述の第２水平方向（Ｙ方向）に延びる第２水平軸Ｌａ２（第２軸）を中心とする垂直旋回（第２水平軸Ｌａ２周り移動）と同一軌道上を移動する。第２移動機構１ｂの構成も特に限定されず、例えばアーム部２を下方から支持するアーム支持部（図示省略）と、このアーム支持部に設けられたアーム部ガイド機構（図示省略）及びロック機構（図示省略）などで構成することができる。ロック機構は、例えば、アーム支持部へ軸（図示省略）によって回転可能に取り付けられたカム（図示省略）と、アーム支持部へ直線的に摺動可能に取り付けられスプリング（図示省略）によってその先端部がアーム部２を下方から押し付け、アーム部２の延在方向への摺動（移動）を止める制動力を発生させるパッド部材（図示省略）と、などで構成することができる。第２移動機構１ｂは、制御装置２２からの指令により作動する。
【００２０】
本実施形態のアーム部２は、第１回転機構１ｃによって、該アーム部２の延在方向中央付近を貫き、Ｘ方向に延びる第１水平軸Ｌａ１（第３軸）を中心とする垂直旋回（第１水平軸Ｌａ１周り移動）が可能に支持されている。第１回転機構１ｃの構成も特に限定されず、例えばＸ方向に延びるロッド固定部（図示省略）に対して回転可能に配置されたロッド回転部（図示省略）などで構成される。そのロッド回転部にアーム部２の延在方向中央付近を接続することで、アーム部２の第１水平軸Ｌａ１を中心とする垂直旋回を実現することができる。この場合、アーム部２の回転角度は、例えば、ロッド回転部の回転に従って回転する従動ギア（図示省略）を介して、ロッド固定部に装着されたロータリーエンコーダ（図示省略）により検出されるように構成すればよい。第１回転機構１ｃは、制御装置２２からの指令により作動する。
【００２１】
本実施形態の第１回転機構１ｃは、第２回転機構１ｄによって、Ｚ方向に延びる垂直軸Ｖａ（第１軸）を中心とする水平旋回（垂直軸Ｖａ周り移動）が可能とされている。第２回転機構１ｄの構成は特に限定されず、例えば第１回転機構１ｃのＺ方向両側面部分を上下から挟み込み、回動可能とする構成などで構成することができる。こうすることで、結果的に、アーム部２の垂直軸Ｖａを中心とする水平旋回を実現することができる。この場合、アーム部２の水平方向の回転角度は、第１回転機構１ｃと同様、適宜装着したロータリーエンコーダ（図示省略）により検出されるように構成すればよい。第２回転機構１ｄは、制御装置２２からの指令により作動する。
【００２２】
アーム部２の延在方向一端（図中、下側）には、Ｘ線放射方向を上方に向けたＸ線管４の背面が支持されている。Ｘ線管４の上流側には、Ｘ線管４にＸ線を発生させる高電圧発生器５が接続してある。Ｘ線管４の下流側に配置されるＸ線放射窓（図示省略）には、被検体１００に対するＸ線の照射野を制限するために、Ｘ線絞り装置（図示省略）が配置されている。
【００２３】
アーム部２の延在方向他端（図中、上側）には、Ｘ線検出面を下方に向けたＸ線検出器３の背面が、第３回転機構６及び第３移動機構７を介して支持されている。すなわち本実施形態では、Ｘ線検出器３とＸ線管４とがアーム部２の両端に、それぞれ、臥位撮影台３００の上面に載置された被検体１００を挟んで、対向する状態で配置されている。
【００２４】
なお、Ｘ線撮影の際は、アーム部２がＬａ１軸周りに１８０°回転し、Ｘ線管４とＸ線検出器３とが天地逆方向に配置された状態で、Ｘ線撮影に供される（図２など参照）。ただし、後述するように、さらにＸ線管４とＸ線検出器３の配置が逆転した状態でＸ線撮影に供されることもある（図７など参照）。
【００２５】
本実施形態では、Ｘ線検出器３として平面型のＸ線検出器を例示する。Ｘ線検出器３は、その検出面に複数のＸ線検出素子を有する。Ｘ線検出素子としては、例えば、半導体層と、半導体層の表面に形成された電圧印加電極と、半導体層の裏面に形成された信号電極とからなるＸ線を直接的に電気信号に変換することの可能な半導体セルが採用される。その検出原理としては、半導体層にＸ線が入射すると、その電離作用により発生した電子正孔対が逆バイアスされている電極にそれぞれ引き寄せられ、これにより入射Ｘ線の強度に応じた信号電流が発生するというものである。なお、Ｘ線検出素子として、シンチレータとフォトダイオードとを組み合わせる等、他の構造を採用することもできる。
【００２６】
Ｘ線検出器３を構成する複数のＸ線検出素子は、通常、その検出面が方形状となるようにマトリクス状にアレイされる。検出面の形状は、長方形や正方形などとされることが多い。長方形の場合、そのサイズは、例えば、短辺１６インチ×長辺２５インチなどとすることができ、特に限定されない。正方形の場合のサイズも特に限定されない。
【００２７】
本実施形態では、被検体１００を静止させた状態で、後述のようにアーム部２とＸ線検出器３を移動及び／又は旋回させて、被検体１００の例えば体軸方向（Ｙ方向）に沿った複数の撮影を繰り返し、被検体１００の体軸に沿った連続的で且つ部分的に重複する複数のＸ線画像を取得する。このため、Ｘ線検出器３は、撮影毎に、Ｘ線管４から照射され被検体１００を通過した透過Ｘ線像を検出し、その検出結果を電気信号（Ｘ線検出信号）に変換して画像処理部８に出力する。
【００２８】
画像処理部８は、ＣＰＵやＲＯＭ、ＲＡＭなどで構成され、検出器３から出力されるＸ線検出信号に従って次々に取得される複数のＸ線画像に基づき表示のための画像処理（階調変換、接合）を施し、被検体１００の長尺撮影領域（例えば腹部から下肢までの領域）に対応する１枚の長尺Ｘ線画像を生成する。画像処理部８からの出力を受け、生成された長尺Ｘ線画像は、表示部９に表示される。なお、画像処理部８で生成する長尺Ｘ線画像は、デジタル画像データの状態で、光磁気ディスク装置などの記録装置に保管し、これをネットワークを介して外部の機器に転送するように構成することもできる。
【００２９】
本実施形態では、アーム部２の延在方向他端側（Ｘ線検出器３側）には第３移動機構７と第３回転機構６とが順次連結されている。第３回転機構６の下流側にはＸ線検出器３が接続されている。
【００３０】
Ｘ線検出器３は、第３移動機構７によって、直交する２方向（Ｘ方向、及び／又は、Ｘ方向に対して直交する方向（Ｙ方向））に沿って移動可能に支持されている。第３移動機構７の構成は特に限定されない。例えば、アーム部２の他端（上側）の床面側に、直交２系統（Ｘ方向及び／又はＹ方向）の走行レール（図示省略）を配置し、その下流側に走行ベース（図示省略）を設け、この走行ベースにＸ線検出器３を支持することにより、上記移動を実現することができる。第３移動機構７は、制御装置２２からの指令により作動する。このように、アーム部２の延在方向他端側に第３移動機構７が配置され、その第３移動機構７の下流側に後述の第３回転機構６を介してＸ線検出器３が支持されるので、Ｘ線検出器３は最終的に、アーム部２の延在方向他端で、Ｘ方向及び／又はＹ方向への移動が許容される。
【００３１】
Ｘ線検出器３は、第３回転機構６によって、第１水平軸Ｌａ１（第３軸）を中心とする垂直旋回と、第１水平軸Ｌａ１と直交する垂直軸Ｖａ（第１軸）を中心とする水平旋回と、さらには第１水平軸Ｌａ１及び垂直軸Ｖａの何れにも直行する第２水平方向（Ｙ方向）に延びる第２水平軸Ｌａ２（第２軸）を中心とする垂直旋回（第２水平軸Ｌａ２周り移動）とが可能となるように支持されている。第３回転機構６の構成は特に限定されない。例えば、図２（ａ）及び図２（ｂ）に示すように、球状のジョイント構造を用い、このジョイント構造にＸ線検出器３を接続することにより、上記複数の旋回を実現することができる。この場合、Ｘ線検出器３の回転角度は、例えば位置検出センサ（レーザー等）により検出されるように構成すればよい。第３回転機構６は、制御装置２２からの指令により作動する。
【００３２】
このように、第３移動機構７の下流側に第３回転機構６が接続され、その第３回転機構６の下流側にＸ線検出器３が支持されるので、Ｘ線検出器３は最終的に、アーム部２の延在方向の他端で、第１水平軸Ｌａ１を中心とする垂直旋回と、垂直軸Ｖａを中心とする水平旋回と、さらには第２水平軸Ｌａ２を中心とする垂直旋回とが許容される。
【００３３】
なお、第３移動機構７及び第３回転機構６の構成は、上述した例に限定されない。例えば、第３移動機構７は、制御装置２２からの指令を受けた際に、Ｘ方向及びＹ方向に沿って移動し、これとともに、或いはこれとは独立して、垂直軸Ｖａを中心とする水平旋回を実行するように構成してもよい。この場合、第３回転機構６は、制御装置２２からの指令によって、第１水平軸Ｌａ１を中心とする垂直旋回と、第２水平軸Ｌａ２を中心とする垂直旋回とを実行可能に構成することができる。具体的には、例えば、第３移動機構７として、Ｘ方向及びＹ方向に沿った移動を上述の構成で達成するとともに、第３移動機構７自身が垂直軸Ｖａを中心とする水平旋回が実行可能となるように構成する。第３回転機構６としては、例えば図３（ａ）及び図３（ｂ）に示すように、第１水平軸Ｌａ１を中心とする垂直旋回を可能とする部材と、第２水平軸Ｌａ２を中心とする垂直旋回を可能とする部材と、を組み合わせた構成にする。
【００３４】
図１に戻る。本実施形態の制御装置２２は、操作器２０の一部を構成するものである。制御装置２２は、ＣＰＵやＲＯＭ、ＲＡＭなどで構成され、第１〜第３の各移動機構１ａ，１ｂ，７や、第１〜第３の各回転機構１ｃ，１ｄ，６に対して所定の指令を送出する。本実施形態では、例えば図４に示すように、主として、アーム駆動制御部２２２と、検出器駆動制御部２２４とを含む。アーム駆動制御部２２２は、第１移動制御部２２２ａと、第２移動制御部２２２ｂと、第１回転制御部２２２ｃと、第２回転制御部２２２ｄとを有する。第１移動制御部２２２ａは第１移動機構１ａの移動量を制御する。第２移動制御部２２２ｂは第２移動機構１ｂの移動量と移動方向を制御する。第１回転制御部２２２ｃはアーム部２の第１水平軸Ｌａ１を中心とする回転角度を制御する。第２回転制御部２２２ｄはアーム部２の垂直軸Ｖａを中心とする回転角度を制御する。検出器駆動制御部２２４は、第３移動制御部２２４ａと、第３回転制御部２２４ｂとを有する。第３移動制御部２２４ａは第３移動機構７の移動量や移動方向を制御する。第３回転制御部２２４ｂは第３回転機構６の回転角度や回転方向を制御する。こうした制御装置２２による制御は、オペレータが、各種の操作スイッチや表示器などが備えられた操作パネル（図示省略）を操作することにより行われる。
【００３５】
図１に戻る。操作器２０は操作パネル（図示省略）を含み、この操作パネルに設けられる操作スイッチには、各種ロック／解除制御用の操作スイッチや、Ｘ線絞り装置の照準光点灯用の照射野ランプボタンなどが含まれる。ロック／解除制御用の操作スイッチには、第１〜第３の各移動フリーボタンや第１〜第４の各旋回フリーボタンなどが含まれる（何れも図示省略）。
【００３６】
第１移動フリーボタンは、ロック解除によって、第１移動機構１ａを介してアーム部２のＸ方向への移動を許容する。第２移動フリーボタンは、ロック解除によって、第２移動機構１ｂを介してアーム部２の延在方向への移動を許容する。第３移動フリーボタンは、ロック解除によって、第３移動機構７を介してＸ線検出器３のＸ方向及び／又はＹ方向への移動を許容する。
【００３７】
第１旋回フリーボタンは、ロック解除によって、第１回転機構１ｃを介してアーム部２の第１水平軸Ｌａ１を中心とする垂直旋回を許容する。第２旋回フリーボタンは、ロック解除によって、第３回転機構６を介してＸ線検出器３の第１水平軸Ｌａ１を中心とする垂直旋回を許容する。第３旋回フリーボタンは、ロック解除によって、第３回転機構６を介してＸ線検出器３の垂直軸Ｖａを中心とする水平旋回を許容する。第４旋回フリーボタンは、ロック解除によって、第３回転機構６を介してＸ線検出器３の第２水平軸Ｌａ２を中心とする垂直旋回を許容する。その結果、第１移動機構１ａは、第１移動フリーボタンのロックを解除することでＸ方向に移動可能となり、最終的にはアーム部２がＸ方向に移動することになる。アーム部２は、第２移動フリーボタンのロックを解除することで、その延在方向に沿った円弧動が可能となる。アーム部２は、第１旋回フリーボタンのロックを解除することで第１水平軸Ｌａ１を中心として垂直旋回が可能となる。第３移動機構７は、第３移動フリーボタンのロックを解除することでＸ方向及び／又はＹ方向に移動可能となり、最終的にはＸ線検出器３がＸ方向及び／又はＹ方向に移動することになる。第３回転機構６は、第２旋回フリーボタンのロックを解除することで第１水平軸Ｌａ１を中心として垂直旋回が可能となり、第３旋回フリーボタンのロックを解除することで垂直軸Ｖａを中心として水平旋回が可能となり、第４旋回フリーボタンのロックを解除することで第２水平軸Ｌａ２を中心として垂直旋回が可能となる。その結果、最終的には、Ｘ線検出器３が第１水平軸Ｌａ１、垂直軸Ｖａ及び第２水平軸Ｌａ２の少なくとも何れかを中心として旋回することになる。
【００３８】
操作パネルに設けられる表示器（図示省略）は、Ｘ線撮影の条件、Ｘ線管４の回転角度、ＦＦＤなどをデジタル表示することができる。
【００３９】
《長尺撮影方法》
次に、Ｘ線撮影装置５００を用いた長尺撮影方法の一例を説明する。
【００４０】
本実施形態では、臥位撮影台３００に載置された被検体１００の、体軸方向（Ｙ方向）に沿った複数（本例では２回）の撮影を行った後、幅方向（Ｘ方向）に沿った複数（本例では２回）の撮影を行い、各撮影で得られた複数（本例では４枚）のＸ線画像を重複部分で繋ぎ合わせ、１枚の長尺画像を取得する操作を説明する。
【００４１】
まず、オペレータは、移動台車を介してＸ線撮影装置５００を移動させ、臥位撮影台３００に仰向け載置された被検体１００を挟むように、アーム部２に支持されたＸ線管４とＸ線検出器３を配置する。撮影台３００に対するアーム部２の挿入角度は特に限定されないが、本実施形態では図５に示すように、概ね、撮影台３００の長手方向（Ｙ方向）に対する挿入方向がＸ方向に対して所定の角度（挿入角度φ）となるようにアーム部２を挿入する。アーム部２の挿入角度φは、撮影領域がＹ方向に長くなるほど（換言すると、Ｙ方向に沿った撮影回数が多くなるほど）、大きくするとよい。角度φは、０°（すなわちＸ方向に沿って平行に挿入する場合に相当）から８０°程度までの範囲内で適宜決定される。本実施形態では、まずＹ方向に沿った２回の撮影を行うので、アーム部２の挿入角度φは４５°前後に設定される。
【００４２】
その後、長尺撮影が選択されることにより、図６の処理が開始される。以下、図１と図４も参照して処理手順を説明する。
【００４３】
《Ｓ１》
まず、図６に示すステップ（以下「Ｓ」と略記する。）１にて、オペレータが操作器２０を操作し、制御装置２２の作動を開始させると、まず、アーム駆動制御部２２２の第１移動制御部２２２ａから第１移動機構１ａに指令が発せられ、アーム部２を基準位置に移動させる（アーム部の基準位置への移動。図７参照）。ここで基準位置とは、Ｘ線管４とＸ線検出器３の中心同士を結ぶ撮影線が、撮影台３００の被検体１００載置面に対して略垂直となるような位置である。
【００４４】
アーム部２を基準位置に移動させると、そのままの状態では、Ｘ線検出器３の四周辺の位置が、被検体１００のＹ方向及びＸ方向に揃っていない。このため本実施形態では、制御装置２２は、検出器駆動制御部２２４の第３回転制御部２２４ｂを通じて第３回転機構６に指令を出し、これによってアーム部２の挿入角度φの分だけ逆方向にＸ線検出器３を回転させ、Ｘ線検出器３の四周辺の位置を、被検体１００のＹ方向及びＸ方向に揃えた後、Ｓ２へ進む。
【００４５】
《Ｓ２》
Ｓ２にて、制御装置２２は、撮影方向を検出する。具体的には、複数の撮影が被検体１００の少なくともＹ方向に沿ったものであるか、それともＸ方向のみに沿ったものであるかを判断する（撮影方向の検出）。その結果、撮影がＹ方向のみに沿ったもの、或いは撮影がＹ方向及びＸ方向の両方向に沿ったものである場合（Ｓ２にてＹｅｓ）にはＳ３へ進み、撮影がＸ方向のみに沿ったものである場合（Ｓ２にてＮｏ）にはＳ７へ進む。本実施形態では、複数の撮影が、まず被検体１００のＹ方向に沿ったものであり、次に被検体１００のＸ方向に沿った複数の撮影を行うものであるとの前提なので、ここではＳ３へ進む。
【００４６】
《Ｓ３，Ｓ３１》Ｙ方向の撮影（１回目）
Ｓ３では、Ｙ方向に対する１回目のＸ線撮影を行う。具体的には、まずＳ３１にて、制御装置２２は、第１回転制御部２２２ｃを通じて第１回転機構１ｃに指令を出し、アーム部２を、第１水平軸Ｌａ１（第１軸）を中心として基準位置から反時計方向（プラス方向）にθ°回転させ、その位置で停止させる（アーム部のＬａ１軸周りの正移動。図８参照）。このとき、Ｓ１と同様、Ｘ線検出器３の四周辺の位置が被検体１００のＹ方向及びＸ方向に揃っていない場合には、制御装置２２は、第３回転制御部２２４ｂを通じて第３回転機構６に指令を出し、これによって所定角度、Ｘ線検出器３を回転させ、Ｘ線検出器３の四周辺の位置を、被検体１００のＹ方向及びＸ方向に揃えた後、Ｓ３２へ進む。
【００４７】
アーム部２のＬａ１軸周りの回転角度θは、撮影対象である被検体１００に対し、その体軸方向（Ｙ方向）に沿ったどの部位を撮影するか、またそのＹ方向に沿って行う撮影回数に応じて、適宜決定される。
【００４８】
以下、反時計方向（プラス方向）のθ°回転を「＋θ°」と略記する。また反時計方向と逆回り方向を時計方向（マイナス方向）とし、マイナス方向のθ°回転を「−θ°」と略記する。本実施形態では、上述したように、アーム部２の延在方向一端（上側）にはＸ線管４がＸ線放射方向を下方に向けた状態で支持されており、アーム部２の延在方向他端（下側）にはＸ線検出器３がＸ線検出面を上方に向けた状態で支持されている。このため、Ｓ３１にて、アーム部２が基準位置から反時計方向のＬａ１周りに＋θ°回転すると、これに追従して、アーム部２の一端に支持されるＸ線管４と他端に支持されるＸ線検出器３とは、それぞれ被検体１００のＹ方向に対して＋θ°と、−θ°とだけ、そのＸ線放射面とＸ線検出面とが傾斜することとなる。
【００４９】
《Ｓ３２》
Ｓ３２にて、制御装置２２は、第３回転制御部２２４ｂを通じて第３回転機構６に指令を出し、Ｘ線検出器３を、第１水平軸Ｌａ１を中心として現在の位置から時計方向（マイナス方向）にθ°回転させ、その位置で停止させる（Ｘ線検出器のＬａ１軸周りの逆移動。図８参照）。その結果、Ｘ線検出器３の検出面は、Ｙ方向と平行な方向へ向けられることとなる。その後、Ｓ３３へ進む。
【００５０】
Ｘ線検出器３の検出面を、Ｙ方向と平行な方向へ向けるように操作する（つまりアーム部２の＋θ回転の後、Ｘ線検出器３を−θ回転させる）ことで、撮影台３００や被検体１００への接触防止などのメリットがある。
【００５１】
なお、このＳ３２のステップは、本発明では必須のものではなく、これを省略することもできる。
【００５２】
《Ｓ３３》
Ｓ３３にて、制御装置２２はＸ線撮影を行う指令を送出し、Ｙ方向１回目のＸ線撮影を実行して（Ｙ方向１回目のＸ線撮影。図９参照）、Ｓ４へ進む。具体的には、制御装置２２は、Ｘ線管４に対して適切な量のＸ線を発生させることができるように高電圧発生器５の出力条件（Ｘ線撮影条件）を制御する。Ｘ線撮影条件とはＸ線管４の管電圧、管電流時間積などである。Ｘ線撮影の指令が送出されると、Ｘ線管４からＸ線が照射され、Ｘ線絞り装置の開口部をＸ線が通過し、その通過したＸ線のうち被検体１００を透過したＸ線をＸ線検出器３の検出面でＸ線検出信号として検出する。Ｘ線検出器３は、この検出したＸ線検出信号を画像処理部８に出力する。その後の画像処理については後述する。
【００５３】
《Ｓ４，Ｓ４１》Ｙ方向の撮影（２回目）
Ｓ４では、Ｙ方向に対する２回目のＸ線撮影を行う。具体的には、まずＳ４１にて、制御装置２２は、第１回転制御部２２２ｃを通じて第１回転機構１ｃに指令を出し、アーム部２を、第１水平軸Ｌａ１（第１軸）を中心として現在の位置から時計方向（マイナス方向）に２θ°回転させ（−２θ°の逆回転）、その位置で停止させる（アーム部のＬａ１軸周りの逆移動。図１０参照）。このとき、Ｓ１，Ｓ３１と同様、Ｘ線検出器３の四周辺の位置が被検体１００のＹ方向及びＸ方向に揃っていない場合には、制御装置２２は、第３回転制御部２２４ｂを通じて第３回転機構６に指令を出し、これによって所定角度、Ｘ線検出器３を回転させ、Ｘ線検出器３の四周辺の位置を、被検体１００のＹ方向及びＸ方向に揃えた後、Ｓ４２へ進む。
【００５４】
《Ｓ４２》
Ｓ４２にて、制御装置２２は、第３回転制御部２２４ｂを通じて第３回転機構６に指令を出し、Ｘ線検出器３を、第１水平軸Ｌａ１（第１軸）を中心として現在の位置から反時計方向（プラス方向）に２θ°回転させ（＋２θ°の正回転）、その位置で停止させる（Ｘ線検出器のＬａ１軸周りの正移動。図１０参照）。その結果、Ｘ線検出器３の検出面は、Ｙ方向と平行な方向へ向けられることとなる。その後、Ｓ４３へ進む。なお、Ｓ３２と同様、このＳ４２のステップは、本発明では必須のものではなく、これを省略することもできる。
【００５５】
《Ｓ４３》
Ｓ４２にて所定方向に回転され停止したＸ線検出器３の検出面は、上述のＳ３３にて１枚目をＸ線撮影したときのＸ線検出器３の検出面に対し、Ｘ方向及びＹ方向の双方向に若干のズレを生じている（図１１（ａ）参照）。従って、Ｓ４２の終了後、直ちに、Ｙ方向２回目のＸ線撮影を実行しても、Ｙ方向に沿い、両側端が略一直線の複数のＸ線画像を得ることはできない。
【００５６】
そこでＳ４３では、制御装置２２は、まず、上述のＳ３３にて１枚目をＸ線撮影したときのＸ線検出器３の検出面に対して、Ｓ４２にて所定方向に回転され停止したＸ線検出器３の検出面のＹ方向のズレ分（ΔＸ）を検出する。このズレ分（ΔＸ）は、Ｘ線管４のＸ線管球からＸ線検出器３の検出面までの距離をＬとした場合（以下、同じ）、ΔＸ＝Ｌ・ｓｉｎθ・ｓｉｎφで算出できる。
【００５７】
次に、制御装置２２は、検出器駆動制御部２２４の第３移動制御部２２４ａを通じて第３移動機構７に指令を出し、Ｘ線検出器３を現在の位置からＸ方向に、Ｙ方向のズレ分（ΔＸ）だけ移動させ、１枚目のＸ線画像のＹ方向両側端に対して、２枚目のＸ線画像のＹ方向両側端を略一致させる（Ｙ方向ズレ分の検出とその解消。図１１（ｂ）参照）。その後、Ｓ４４へ進む。
【００５８】
《Ｓ４４》
Ｓ４４にて、制御装置２２はＸ線撮影を行う指令を送出し、Ｙ方向２回目のＸ線撮影を実行する（Ｙ方向２回目のＸ線撮影）。制御装置２２によってＸ線撮影の指令が送出されると、Ｘ線管４からＸ線が照射され、Ｘ線絞り装置の開口部をＸ線が通過し、その通過したＸ線のうち被検体１００を透過したＸ線をＸ線検出器３の検出面でＸ線検出信号として検出する。Ｘ線検出器３は、この検出したＸ線検出信号を画像処理部８に出力する。
【００５９】
本実施形態では、Ｙ方向の撮影はこれで終了するので、撮影終了後、Ｓ５へ進む。なお、Ｙ方向に対する３回目以降のＸ線撮影を行う場合、上述のＳ３及びＳ４にならって、適宜、撮影位置を確定させてから３回目以降のＸ線撮影を行い、Ｙ方向の全撮影終了後、Ｓ５へ進む。
【００６０】
《Ｓ５》
Ｓ５にて、制御装置２２は、次の複数撮影があるか否かを判断する。
【００６１】
具体的には、被検体１００のＸ方向に沿った複数の撮影があるかを判断する（次の複数撮影の検出）。その結果、次の撮影（Ｘ方向の複数撮影）がある場合（Ｓ５にてＹｅｓ）にはＳ６へ進み、全撮影を終了する場合（Ｓ５にてＮｏ）には処理を終了する。本実施形態では、複数の撮影が、まず被検体１００のＹ方向に沿ったものであり、次に被検体１００のＸ方向に沿った複数の撮影を行うものであるとの前提なので、ここではＳ６へ進む。
【００６２】
《Ｓ６》
Ｓ６にて、制御装置２２は、上述したＳ１と同様に、アーム駆動制御部２２２の第１移動制御部２２２ａを通じてアーム部２に指令を出し、アーム部２を基準位置に戻す（アーム部の基準位置への移動。図１２参照）。このとき、Ｘ線検出器３の四周辺の位置が被検体１００のＹ方向及びＸ方向に揃っていない場合には、制御装置２２は、第３回転制御部２２４ｂを通じて第３回転機構６に指令を出し、これによって所定角度、Ｘ線検出器３を回転させ、Ｘ線検出器３の四周辺の位置を、被検体１００のＹ方向及びＸ方向に揃えた後、Ｓ７へ進む。
【００６３】
《Ｓ７，Ｓ７１》Ｘ方向の撮影（１回目）
Ｓ７では、Ｘ方向に対する１回目のＸ線撮影を行う。具体的には、まずＳ７１にて、制御装置２２は、第２移動制御部２２２ｂを通じて第２移動機構１ｂに指令を出し、アーム部２をその延在方向に沿って所定距離、移動させ（円弧動）、Ｘ線検出器３を基準位置から反時計方向（プラス方向）にω°回転させた位置に停止させる（アーム部のＬａ２軸周りの正移動。図１３参照）。このとき、Ｓ６と同様、Ｘ線検出器３の四周辺の位置が被検体１００のＹ方向及びＸ方向に揃っていない場合には、制御装置２２は、第３回転制御部２２４ｂを通じて第３回転機構６に指令を出し、これによって所定角度、Ｘ線検出器３を回転させ、Ｘ線検出器３の四周辺の位置を、被検体１００のＹ方向及びＸ方向に揃えた後、Ｓ７２へ進む。
【００６４】
アーム部２の移動量（つまりＸ線検出器３の第２水平軸Ｌａ２軸周りの回転角度ω）は、撮影対象である被検体１００に対し、その幅方向（Ｘ方向）に沿ったどの部位を撮影するか、またそのＸ方向に沿って行う撮影回数に応じて、適宜決定される。
【００６５】
Ｓ７１にて、アーム部２がその延在方向に沿って所定距離移動すると、これに追従して、アーム部２の一端に支持されるＸ線管４と他端に支持されるＸ線検出器３とは、それぞれ被検体１００のＸ方向に対して＋ω°と、−ω°とだけ、そのＸ線放射面とＸ線検出面とが傾斜することとなる。
【００６６】
《Ｓ７２》
Ｓ７２にて、制御装置２２は、第３回転制御部２２４ｂを通じて第３回転機構６に指令を出し、Ｘ線検出器３を、第２水平軸Ｌａ２（第２軸）を中心として現在の位置から時計方向（マイナス方向）にω°回転させ、その位置で停止させる（Ｘ線検出器のＬａ２軸周りの逆移動。図１３参照）。その結果、Ｘ線検出器３の検出面は、Ｘ方向と平行な方向へ向けられることとなる。その後、Ｓ７３へ進む。
【００６７】
Ｘ線検出器３の検出面を、Ｘ方向と平行な方向へ向けるように操作する（つまりアーム部２の＋ω回転の後、Ｘ線検出器３を−ω回転させる）ことで、撮影台３００や被検体１００への接触防止などのメリットがある。
【００６８】
なお、このＳ７２のステップは、本発明では必須のものではなく、これを省略することもできる。
【００６９】
《Ｓ７３》
Ｓ７３にて、制御装置２２はＸ線撮影を行う指令を送出し、Ｘ方向１回目のＸ線撮影を実行して（Ｘ方向１回目のＸ線撮影）、Ｓ８へ進む。具体的には、制御装置２２は、Ｘ線管４に対して適切な量のＸ線を発生させることができるように高電圧発生器５の出力条件（Ｘ線撮影条件）を制御する。Ｘ線撮影条件とはＸ線管４の管電圧、管電流時間積などである。Ｘ線撮影の指令が送出されると、Ｘ線管４からＸ線が照射され、Ｘ線絞り装置の開口部をＸ線が通過し、その通過したＸ線のうち被検体１００を透過したＸ線をＸ線検出器３の検出面でＸ線検出信号として検出する。Ｘ線検出器３は、この検出したＸ線検出信号を画像処理部８に出力する。その後の画像処理については後述する。
【００７０】
《Ｓ８，Ｓ８１》Ｘ方向の撮影（２回目）
Ｓ８では、Ｘ方向に対する２回目のＸ線撮影を行う。具体的には、まずＳ８１にて、制御装置２２は、第２移動制御部２２２ｂを通じて第２移動機構１ｂに指令を出し、アーム部２をその延在方向に沿って現在の位置から時計方向（マイナス方向）に２ω°回転させ（−２ω°の逆回転）、その位置で停止させる（アーム部のＬａ２軸周りの逆移動。図１４参照）。このとき、Ｓ６，Ｓ７１と同様、Ｘ線検出器３の四周辺の位置が被検体１００のＹ方向及びＸ方向に揃っていない場合には、制御装置２２は、第３回転制御部２２４ｂを通じて第３回転機構６に指令を出し、これによって所定角度、Ｘ線検出器３を回転させ、Ｘ線検出器３の四周辺の位置を、被検体１００のＹ方向及びＸ方向に揃えた後、Ｓ８２へ進む。
《Ｓ８２》
Ｓ８２にて、制御装置２２は、第３回転制御部２２４ｂを通じて第３回転機構６に指令を出し、Ｘ線検出器３を、第２水平軸Ｌａ２（第２軸）を中心として現在の位置から反時計方向（プラス方向）に２ω°回転させ（＋２ω°の正回転）、その位置で停止させる（Ｘ線検出器のＬａ２軸周りの正移動。図１４参照）。その結果、Ｘ線検出器３の検出面は、Ｘ方向と平行な方向へ向けられることとなる。その後、Ｓ８３へ進む。なお、Ｓ７２と同様、このＳ８２のステップは、本発明では必須のものではなく、これを省略することもできる。
【００７１】
《Ｓ８３》
Ｓ８２にて所定方向に回転され停止したＸ線検出器３の検出面は、上述のＳ７３にて１枚目をＸ線撮影したときのＸ線検出器３の検出面に対し、Ｘ方向及びＹ方向の双方向に若干のズレを生じている（図１５（ａ）参照）。従って、Ｓ８２の終了後、直ちに、Ｘ方向２回目のＸ線撮影を実行しても、Ｘ方向に沿い、両側端が略一直線の複数のＸ線画像を得ることはできない。
【００７２】
そこでＳ８３では、制御装置２２は、まず、上述のＳ７３にて１枚目をＸ線撮影したときのＸ線検出器３の検出面に対して、Ｓ８２にて所定方向に回転され停止したＸ線検出器３の検出面のＸ方向のズレ分（ΔＹ）を検出する。このズレ分（ΔＹ）は、ΔＹ＝Ｌ・ｓｉｎω・ｓｉｎφで算出できる。
【００７３】
次に、制御装置２２は、検出器駆動制御部２２４の第３移動制御部２２４ａを通じて第３移動機構７に指令を出し、Ｘ線検出器３を現在の位置からＹ方向に、Ｘ方向のズレ分（ΔＹ）だけ移動させ、１枚目のＸ線画像のＸ方向両側端に対して、２枚目のＸ線画像のＸ方向両側端を略一致させる（Ｘ方向ズレ分の検出とその解消。図１５（ｂ）参照）。その後、Ｓ８４へ進む。
【００７４】
《Ｓ８４》
Ｓ８４にて、制御装置２２はＸ線撮影を行う指令を送出し、Ｘ方向２回目のＸ線撮影を実行する（Ｘ方向２回目のＸ線撮影）。制御装置２２によってＸ線撮影の指令が送出されると、Ｘ線管４からＸ線が照射され、Ｘ線絞り装置の開口部をＸ線が通過し、その通過したＸ線のうち被検体１００を透過したＸ線をＸ線検出器３の検出面でＸ線検出信号として検出する。Ｘ線検出器３は、この検出したＸ線検出信号を画像処理部８に出力する。
【００７５】
本実施形態では、Ｘ方向の撮影はこれで終了する。なお、Ｘ方向に対する３回目以降のＸ線撮影を行う場合、上述のＳ７及びＳ８にならって、適宜、撮影位置を確定させてから３回目以降のＸ線撮影を行い、Ｘ方向の全撮影終了後、処理を終了する。
【００７６】
《画像処理方法》
次に、画像処理部８での画像処理方法の一例を、図１６に示すフローチャートに基づいて説明する。
【００７７】
《Ｓ１０》
まず、図１６のＳ１０にて、接合対象の複数のＸ線画像のデータ（Ｓ３３での第１画像３０；第１画像に対してＹ方向上端に一部重なりを持つＳ４４での第２画像３１；第１画像に対してＸ方向左端に一部重なりを持つＳ７３での第３画像３２；第３画像に対してＹ方向上端に一部重なりを持ち、かつ第２画像に対してＸ方向左端に一部重なりを持つＳ８４での第４画像３３）が、Ｘ線検出器３から画像処理部８に供給される（接合対象の画像データの供給）。画像処理部８に供給される画像データは、Ｘ線検出器３から出力されるＸ線検出信号がＡＤ変換器（図示省略）を介してデジタル画像データに変換されたものである。
【００７８】
本実施形態では、例えば図１７に示すように、被検体１００の体軸方向（Ｙ方向）と幅方向（Ｘ方向）に沿った連続的で且つ部分的に重複する４つのＸ線画像３０〜３３が供給されるものとする。また、画像３０と画像３１の一部（画像３０の下端部分と画像３１の上端部分）が重複し、画像３２と画像３３の一部（画像３２の下端部分と画像３３の上端部分）が重複するものとする。また、画像３０と画像３２の一部（画像３０の右端部分と画像３２の左端部分）が重複し、画像３１と画像３３の一部（画像３１の右端部分と画像３３の左端部分）が重複するものとする。
【００７９】
なお、ここでは接合対象のＸ線画像の枚数をＮとして、その各々に１からＮまでの識別番号を撮影順に割り当てるものとする。本実施形態では、接合対象の画像枚数は４枚であるので、撮影順に１から４までの識別番号が割り当てられる。識別番号は、図１７に示す画像３０が１、画像３１が２、画像３２が３、画像３３が４である。
【００８０】
画像処理部８に供給された画像３０〜３３は、画像処理部８の画像取得部（図示省略）で取得され、画像メモリ（記憶手段、図示省略）に一旦記憶される。
【００８１】
《Ｓ２０》
次にＳ２０にて、画像メモリに記憶された４つのＸ線画像のデータは、接合位置設定部（図示省略）に読み出され、ここで隣り合う画像それぞれの接合位置が設定される（接合位置の設定）。
【００８２】
本実施形態では、左上画像である第１画像３０と左下画像である第２画像３１の接合位置を設定し、右上画像である第３画像３２と右下画像である第４画像３３の接合位置を設定するとともに、左上画像である第１画像３０と右上画像である第３画像３２の接合位置を設定し、左下画像である第２画像３１と右下画像である第４画像３３の接合位置を設定する。接合位置の設定は、ユーザからの入力に基づいて決定しても良く、あるいは公知の処理（例えば特開２００８−６７９１６号公報などに開示される接合部の判定処理）により決定することもできる。
【００８３】
なお、図中の符号３０ａ，３１ａは、位置設定部で設定した接合位置で画像３０，３１を接合した場合の画像３０，３１の重複領域を意味するものとする。符号３２ａ，３３ａは、位置設定部で設定した接合位置で画像３２，３３を接合した場合の画像３２，３３の重複領域を意味するものとする。符号３０ｂ，３２ｂは、位置設定部で設定した接合位置で画像３０，３２を接合した場合の画像３０，３２の重複領域を意味するものとする。符号３１ｂ，３３ｂは、位置設定部で設定した接合位置で画像３１，３３を接合した場合の画像３１，３３の重複領域を意味するものとする。
【００８４】
《Ｓ３０》
次にＳ３０にて、適宜、接合すべき画像間での濃度処理などを施した後、長尺画像生成部（図示省略）にて、表示のための画像処理（階調変換、接合）を施した後、この処理後の画像３０〜３３を、Ｓ２０で設定した接合位置で接合し、被検体１００の長尺撮影領域（例えば腹部から下肢までの領域）に対応する１枚の長尺Ｘ線画像を生成させる。
【００８５】
各画像の接合は、公知である手法の様に、重複領域３０ａ〜３３ａ，３０ｂ〜３３ｂの任意領域に重みをつけて補正した後に接合しても良く、あるいは隣り合う第１画像３０と第２画像３１、第３画像３２と第４画像３３、第１画像３０と第３画像３２、第２画像３１と第４画像３３、の一方の画像を使用しても良い。なお、通常は、作成した長尺画像は、画像出力装置に出力されるが、この出力装置は、モニタ、フィルムプリンタでも良いし、データとしてサーバーや、記録媒体へ保存してもよい。
【００８６】
本実施形態では、作成した長尺画像を表示部９に出力し表示させてフローを終了する。
【００８７】
本実施形態によれば、Ｃアーム全体を被検体１００の体軸方向（Ｙ方向）に沿って直線的に移動させることがない。このため装置５００が大型化せず、しかも被検体１００の体軸方向に対するアーム部２の挿入角度φを略９０°にしなくとも、被検体１００の体軸方向（Ｙ方向）又は体軸方向に直交する幅方向（Ｘ方向）に沿った長尺撮影を行うことができ、被検体１００及び撮影者（オペレータ）の位置関係の制約をなくすことができる。
【００８８】
以上説明した実施形態は、上記発明の理解を容易にするために記載されたものであって、上記発明を限定するために記載されたものではない。したがって、上記の実施形態に開示された各要素は、上記発明の技術的範囲に属する全ての設計変更や均等物をも含む趣旨である。
【符号の説明】
【００８９】
５００…Ｘ線撮影装置、１００…被検体、３００…臥位撮影台、
１…アーム保持装置、１ａ…第１移動機構（第２の移動機構）、１ｂ…第２移動機構（第２の移動機構）、１ｃ…第１回転機構（第２の回転機構）、１ｄ…第２回転機構（第２の回転機構）、
２…アーム部、３…Ｘ線検出器（Ｘ線検出手段）、４…Ｘ線管（Ｘ線照射手段）、５…高電圧発生器、６…第３回転機構（回転機構）、７…第３移動機構（移動機構）、８…画像処理部、９…表示部、
２０…操作器、２２…制御装置、２２２…アーム駆動制御部、２２２ａ…支柱移動制御部、２２２ｂ…アーム回転制御部、２２４…Ｘ線検出器駆動制御部、２２４ａ…第１移動制御部、２２４ｂ…第２移動制御部、
３０…第１画像、３１…第２画像、３２…第３画像、３３…第４画像
【図１】
2011245003.tif 000003
【図２】
2011245003.tif 000004
【図３】
2011245003.tif 000005
【図４】
2011245003.tif 000006
【図５】
2011245003.tif 000007
【図６】
2011245003.tif 000008
【図７】
2011245003.tif 000009
【図８】
2011245003.tif 000010
【図９】
2011245003.tif 000011
【図１０】
2011245003.tif 000012
【図１１】
2011245003.tif 000013
【図１２】
2011245003.tif 000014
【図１３】
2011245003.tif 000015
【図１４】
2011245003.tif 000016
【図１５】
2011245003.tif 000017
【図１６】
2011245003.tif 000018
【図１７】
2011245003.tif 000019